(57)【要約】【課題】携帯電話、ＰＤＡ、カーナビなどのモバイル機器の地図表示で、情報を検索表示すると相当数の情報が検索され、その中から１件を絞り込む為に、各アイコンを開きながら一つずつ情報を確認する作業に時間と労力を必要としている。このような地図上情報検索表示において、情報を検索者の好みに合致するように一発で絞り込む地図上情報検索方式を提供する。【解決手段】情報検索側で予め詳細な検索条件を設定しておき、検索条件を検索時に追加して情報提供側へ送り、情報提供側では予め詳細な提供条件を設定しておき、情報の属する領域とジャンルで抽出された情報群から、この検索条件と提供条件を比較して、合致率の高いほうから数件の情報を検索結果として送り返すことにより、情報を検索者の好みに合致するように一発で絞り込む地図上情報検索方式を提供する。【選択図】図１１
2005149160.tif 000002
【特許請求の範囲】
【請求項１】
モバイル機器で地図を表示させ情報を検索表示させる地図上情報検索方式において、モバイル機器側で情報検索者の特徴や変わらない好みを予め設定しておくプロフィールテーブルを持ち、そのテーブルへのデータ設定手段と、その時々で変わる好みを設定するフラクチェーション（変動）テーブルを持ち、そのテーブルへのデータ設定手段を具備したアプリケーションを、モバイル機器にダウンロードして使用することを特徴とする地図上情報検索方式
【請求項２】
請求項１に記した地図上情報検索方式において、プロフィールテーブルおよびフラクチェーション（変動）テーブルは、どの検索者にも共通する内容を設定する共通事項と、その検索者特有の内容を設定する個別事項を持つことを特徴とする地図上情報検索方式
【請求項３】
モバイル機器で地図を表示させ情報を検索表示させる地図上情報検索方式において、サーバー側で情報提供者の変わらない提供商品や提供サービスを予め設定しておくプロフィールテーブルを持ち、そのテーブルへのデータ設定手段と、その時々で変わる提供商品や提供サービスを設定するフラクチェーション（変動）テーブルを持ち、そのテーブルへのデータ設定手段と、モバイル機器に表示する画像や文章を持ち、そのテーブルへのデータ設定手段と、アカウント情報の設定手段を具備したアプリケーションをサーバーにインストールして使用することを特徴とする地図上情報検索方式
【請求項４】
請求項３に記した地図上情報検索方式において、プロフィールテーブルおよびフラクチェーション（変動）テーブルは、どの検索情報にも共通する内容を設定する共通事項と、その検索情報特有の内容を設定する個別事項を持つことを特徴とする地図上情報検索方式
【請求項５】
請求項３に記した地図上情報検索方式において、サーバー側で情報の検索結果後、プロフィールテーブルとフラクチェーション（変動）テーブルの各アイテムに設定した検索条件の合致率を算出し、合致率上位数件の画像、文章を含む情報テーブルを作成しモバイル機器側に送る手段を具備したことを特徴とする地図上情報検索方式
【請求項６】
請求項１から５に記した地図上情報検索方式において、モバイル機器側で受取った合致率上位数件の情報テーブルのデータに基づいて地図上のその位置にマークを表示する手段と、情報検索者の意思によりスクロール操作で、その情報の画像や文章、プロフィールテーブルとフラクチェーション（変動）テーブルの各アイテムの比較結果を表示する手段を具備したことを特徴とする地図上情報検索方式
【請求項７】
請求項６に記した地図上情報検索方式において、モバイル機器側で受取った合致率上位数件の情報テーブルのデータは、情報検索者の意思により合致した情報のリストを表示させ、そのリストの中から情報を選択し、表示する詳細情報を切り替えることが出来る手段を具備したことを特徴とする地図上情報検索方式
【請求項８】
請求項１から７に記した地図上情報検索方式は、地図表示システムとの取り合いを、情報検索開始前に地図上情報検索システムの管轄になる情報検索画面表示への切り替えで地図表示システムから検索条件として表示中の中心位置座標（経度緯度）をもらうことと、地図上情報検索方式で情報を検索後、地図表示システムに検索した情報のうち一つの情報が属する一つの位置座標（経度緯度）を渡し、地図表示システムの管轄でマーク表示をすることと、検索結果リストから情報を選択し詳細表示することは、地図上情報検索システムの管轄による方法により、情報の検索が地図表示システムに依存しないことを特徴とする地図上情報検索方式
【発明の詳細な説明】
【技術分野】
【０００１】
本発明は、モバイル機器の地図上情報検索表示に属する。
【背景技術】
【０００２】
携帯電話、ＰＤＡ、カーナビなどのモバイル機器の地図表示で、情報を検索表示すると相当数の情報が検索され、その中から１件を絞り込む為に、各アイコンを開きながら一つずつ情報を確認する作業に時間と労力を必要としている。
【０００３】
また地図上情報検索システムは、地図表示システムの中に組み込む必要があり、開発、運用、メンテナンスにおいて地図表示システムに大きく依存している。
【非特許文献１】舟木春仁著  「電子地図ビジネス入門」
【非特許文献２】桜井博行著  「ＧＩＳ電子地図革命」
【発明の開示】
【発明が解決しようとする課題】
【０００４】
このような携帯電話、ＰＤＡ、カーナビなどのモバイル機器の地図上情報検索表示において、情報を検索者の好みに合致するように一発で絞り込むことと、地図上情報検索システムが地図表示システムに依存しない方法を提供する。
【課題を解決するための手段】
【０００５】
本発明では、上述の課題を解決するために、次のように構成している。
【０００６】
すなわち、請求項１のモバイル機器で地図を表示させ情報を検索表示させる地図上情報検索方式は、モバイル機器側で情報検索者の特徴や変わらない好みを予め設定しておくプロフィールテーブルを持ち、そのテーブルへのデータ設定手段と、その時々で変わる好みを設定するフラクチェーション（変動）テーブルを持ち、そのテーブルへのデータ設定手段を具備したアプリケーションを、モバイル機器にダウンロードして使用する。
【０００７】
請求項２の請求項１に記した地図上情報検索方式は、プロフィールテーブルおよびフラクチェーション（変動）テーブルは、どの検索者にも共通する内容を設定する共通事項と、その検索者特有の内容を設定する個別事項を持っている。
【０００８】
請求項３のモバイル機器で地図を表示させ情報を検索表示させる地図上情報検索方式によると、サーバー側で情報提供者の変わらない提供商品や提供サービスを予め設定しておくプロフィールテーブルを持ち、そのテーブルへのデータ設定手段と、その時々で変わる提供商品や提供サービスを設定するフラクチェーション（変動）テーブルを持ち、そのテーブルへのデータ設定手段と、モバイル機器に表示する画像や文章を持ち、そのテーブルへのデータ設定手段と、アカウント情報の設定手段を具備したアプリケーションをサーバーにインストールして使用する。
【０００９】
請求項４の請求項３に記した地図上情報検索方式において、プロフィールテーブルおよびフラクチェーション（変動）テーブルは、どの検索情報にも共通する内容を設定する共通事項と、その検索情報特有の内容を設定する個別事項を持っている。
【００１０】
請求項５の請求項３に記した地図上情報検索方式において、サーバー側で情報の検索結果後、プロフィールテーブルとフラクチェーション（変動）テーブルの各アイテムに設定した検索条件の合致率を算出し、合致率上位数件の画像、文章を含む情報テーブルを作成しモバイル機器側に送る手段を具備している。
【００１１】
請求項６の請求項１から５に記した地図上情報検索方式において、モバイル機器側で受取った合致率上位数件の情報テーブルのデータに基づいて地図上のその位置にマークを表示する手段と、情報検索者の意思によりスクロール操作で、その情報の画像や文章、プロフィールテーブルとフラクチェーション（変動）テーブルの各アイテムの比較結果を表示する手段を具備している。
【００１２】
請求項７の請求項６に記した地図上情報検索方式において、モバイル機器側で受取った合致率上位数件の情報テーブルのデータは、情報検索者の意思により合致した情報のリストを表示させ、そのリストの中から情報を選択し、表示する詳細情報を切り替えることが出来る手段を具備している。
【００１３】
請求項８の請求項１から７に記した地図上情報検索方式は、地図表示システムとの取り合いを、情報検索開始前に地図上情報検索システムの管轄になる情報検索画面表示へ切り替え、検索条件を入力し検索開始で地図表示システムから検索条件として表示中の中心位置座標（経度緯度）をもらうことと、地図上情報検索方式で情報を検索後、地図表示システムに検索した情報のうち一つの情報が属する一つの位置座標（経度緯度）を渡し、地図表示システムの管轄でマーク表示をすることと、検索結果リストから情報を選択し詳細表示することは地図上情報検索システムの管轄による方法により、情報の検索が地図表示システムに依存しない。
【発明の効果】
【００１４】
請求項１のモバイル機器で地図を表示させ情報を検索表示させる地図上情報検索方式によれば、モバイル機器側で情報検索者の特徴や変わらない好みを予め設定しておくプロフィールテーブルを持ち、そのテーブルへのデータ設定手段と、その時々で変わる好みを設定するフラクチェーション（変動）テーブルを持ち、そのテーブルへのデータ設定手段を具備したアプリケーションを、モバイル機器にダウンロードして使用することにより、検索者が希望する多くの検索条件の内いつも変わらない条件を予め設定しておき、その時々で変わる検索条件のみを検索時に設定することにより、多くの検索条件で情報の絞込みが出来る。
【００１５】
ここで、予め設定しておいた検索条件も、ある情報の検索に関して不必要と判断したら、その条件をブランクにすることによりその情報の検索時のみ検索条件から外すことが出来る。
【００１６】
請求項２の地図上情報検索方式によれば、プロフィールテーブルおよびフラクチェーション（変動）テーブルは、どの検索者にも共通する内容を設定する共通事項と、その検索者特有の内容を設定する個別事項を持つことにより、情報検索条件に検索者の個性を反映することが出来る。
【００１７】
請求項３のモバイル機器で地図を表示させ情報を検索表示させる地図上情報検索方式によれば、サーバー側で情報提供者の変わらない提供商品や提供サービスを予め設定しておくプロフィールテーブルを持ち、そのテーブルへのデータ設定手段と、その時々で変わる提供商品や提供サービスを設定するフラクチェーション（変動）テーブルを持ち、そのテーブルへのデータ設定手段と、モバイル機器に表示する画像や文章を持ち、そのテーブルへのデータ設定手段と、アカウント情報の設定手段を具備したアプリケーションをサーバーにインストールして使用することにより、情報検索者に多くの情報と特徴のある情報を提供できる。
【００１８】
請求項４の地図上情報検索方式によれば、プロフィールテーブルおよびフラクチェーション（変動）テーブルは、どの検索情報にも共通する内容を設定する共通事項と、その検索情報特有の内容を設定する個別事項を持つことにより、情報内容に情報提供者の特徴を盛り込むことが出来る。
【００１９】
請求項５の地図上情報検索方式によれば、サーバー側で情報の検索結果後、プロフィールテーブルとフラクチェーション（変動）テーブルの各アイテムに設定した検索条件の合致率を算出し、合致率上位数件の画像、文章を含む情報テーブルを作成しモバイル機器側に送ることにより、情報検索者の検索条件に最も近い情報を絞り込んで送ることが出来る。
【００２０】
請求項６の地図上情報検索方式によれば、モバイル機器側で受取った合致率上位数件の情報テーブルのデータに基づいて地図上のその位置にマークを表示する手段と、情報検索者の意思によりスクロール操作で、その情報の画像や文章、プロフィールテーブルとフラクチェーション（変動）テーブルの各アイテムの比較結果を表示することにより、情報検索者の検索条件に最も近かった情報の地図上の位置と、検索条件の合致内容と合致率を把握できる。
【００２１】
請求項７の地図上情報検索方式によれば、モバイル機器側で受取った合致率上位数件の情報テーブルのデータは、情報検索者の意思により合致した情報のリストを表示させ、そのリストの中から情報を選択し、表示する詳細情報を切り替えることが出来る手段を具備したことにより、情報検索者は検索条件の合致率ＴＯＰのみではなく合致率上位数件から合致の内容を吟味することが出来る。
【００２２】
請求項８の地図上情報検索方式は、地図表示システムとの取り合いを、情報検索開始前に地図上情報検索システムの管轄になる情報検索画面表示への切り替えで地図表示システムから検索条件として表示中の中心位置座標（経度緯度）をもらうことと、地図上情報検索方式で情報を検索後、地図表示システムに検索した情報のうち一つの情報が属する一つの位置座標（経度緯度）を渡し、地図表示システムの管轄でマーク表示をすることと、検索結果リストから情報を選択し詳細表示することは、地図上情報検索システムの管轄による方法により、情報の検索が地図表示システムに依存しないことにより、地図情報検索システムを地図表示システムと切り離して開発、運用、メンテナンスができる。
【発明を実施するための最良の形態】
【００２３】
以下、図面によって本発明の実施の形態について詳細に説明する。
【００２４】
図１は、モバイル機器の地図上情報検索システムを提供する１．Ｗｅｂサーバー、２．地図上情報検索システムを利用する携帯電話、３．携帯電話をインターネットに接続するゲートウェイ、４．インターネット網で構成されるモバイル機器の地図上情報検索方式の実施形態です。
【００２５】
図２は、情報データを地理上のある大きさの区画に分類した区画別座標データと、情報データを各区画別座標データ内でジャンル別に分類されたイメージで表した、区画別ジャンル別座標データテーブルです。
【００２６】
図３は、区画テーブルＮＯ検索テーブル（座標対応）を、図４は、区画別ジャンル別データテーブルを、図５は、区画別プロバイダーテーブルを、図６は、区画別プロバイダーの検索要素１を、図７は、区画別プロバイダーの検索要素２を、図８は、区画別プロバイダーの検索要素３を、図９は、区画別プロバイダーの検索要素４を、図１０は、区画別プロバイダーの添付ファイル要素を表します。
【００２７】
図１１は、検索者の検索要素１を、図１２は、検索者の検索要素２を、図１３は、検索者の検索要素３を、図１４は、検索者の検索要素４を、図１５は、合致情報リストを表します。
【００２８】
ここで、図４から図１０は、地図上情報検索システムのサーバー側の処理テーブルを、図１１から図１５は、地図上情報検索システムのモバイル側の処理テーブルを表します。
【実施例１】
【００２９】
図１６は、携帯電話で情報検索結果を受けて、地図上の情報が属する位置にマーク表示されている携帯電話の地図表示と、詳細情報を切り替え操作で画面上に表示したところを表します。
【実施例２】
【００３０】
図１７は、地図上情報検索方式の処理フローで、モバイル機器でＳＭ０１）地図表示中に地図上情報検索アプリケーションを選択する。
【００３１】
ＳＭ０２）情報検索画面が表示される。
【００３２】
ＳＭ０３）現在表示されている地図の中心経度緯度が検索位置中心に設定される。
【００３３】
ＳＭ０４）ジャンルと希望商品・サービスを選択し、「決定」キーを押すと、サーバーに検索条件が送られる。
【００３４】
ＳＭ０５）方角、ｋｍを設定する。（方角を省略すると円領域で検索される）
【００３５】
サーバーでＳＳ０１）検索対象の座標を演算し、「区画テーブルＮＯ検索テーブル」から区画テーブルＮＯを得る。
【００３６】
ＳＳ０２）区画テーブルＮＯとジャンルが一致する「区画別座標データテーブル」から領域内データを抽出する。
【００３７】
ＳＳ０３）抽出したデータのプロバイダー番号で「区画別プロバイダーテーブル」からプロバイダーデータを抽出する。
【００３８】
ＳＳ０４）抽出されたデータのプロフィールとフラクチェーションを検索条件と比較し合致率を演算する。
【００３９】
ＳＳ０５）合致率の高いものから「経度・緯度」、「地図上名称」、「画像・文章」、「プロフィールとフラクチェーションの比較結果」データを並べてモバイル側に送る。
【００４０】
ＳＭ０６）受信した合致率ＴＯＰの情報源の位置が地図上にマークされる。
【００４１】
ＳＭ０７）表示切替操作と、スクロール操作でその情報の「画像・文章」、「プロフィールとフラクチェーションの比較結果」が表示される。
【００４２】
ＳＭ０８）情報ＯＫ？ならば、終了。他を見たい場合は次へ。
【００４３】
ＳＭ０９）合致率上位リストを表示させ次の情報を選択する。
【００４４】
ＳＭ１０）表示切替操作でその情報源の位置が地図上にマークされる。ＳＭ−０７）へ戻る。
【産業上の利用可能性】
【００４５】
携帯電話、ＰＤＡ、カーナビ等のモバイル機器で、地図表示システム（地図表示アプリケーション）と組み合わせて、情報を検索者の好みに合致するように一発で絞り込む地図上情報検索する場合に利用可能。
【図面の簡単な説明】
【００４６】
【図１】モバイル機器の地図上情報検索方式の実施形態
【図２】区画別ジャンル別座標データテーブル
【図３】区画テーブルＮＯ検索テーブル（座標対応）
【図４】区画別ジャンル別データテーブル
【図５】区画別プロバイダーテーブル
【図６】区画別プロバイダーの検索要素１
【図７】区画別プロバイダーの検索要素２
【図８】区画別プロバイダーの検索要素３
【図９】区画別プロバイダーの検索要素４
【図１０】区画別プロバイダーの添付ファイル要素
【図１１】検索者の検索要素１
【図１２】検索者の検索要素２
【図１３】検索者の検索要素３
【図１４】検索者の検索要素４
【図１５】合致情報リスト
【図１６】携帯電話で飲食店を地図上情報検索方式を使用して検索した場合の実施例
【図１７】地図上情報検索方式の処理フロー
【符号の説明】
【００４７】
１．Ｗｅｂサーバー
２．地図上情報検索方式を利用する携帯電話
３．携帯電話をインターネットに接続するゲートウェイ
４．インターネット網
５．区画別ジャンル別座標データテーブル
６．隣接区画別ジャンル別座標データテーブル群１
７．隣接区画別ジャンル別座標データテーブル群２
８．隣接区画別ジャンル別座標データテーブル群３
９．隣接区画別ジャンル別座標データテーブル群４
１０．同一区画別ジャンル別座標データテーブル群内の同一ジャンル群１
１１．同一区画別ジャンル別座標データテーブル群内の同一ジャンル群２
１２．地図上情報検索方式を実行した携帯電話
１３．地図上情報検索方式を実行した携帯電話に検索結果がマーク表示された地図表示
１４．表示切替で表示された詳細情報
１５．表示切替で表示された合致情報リスト
【図１】
2005149160.tif 000003
【図８】
2005149160.tif 000004
【図１０】
2005149160.tif 000005
【図１５】
2005149160.tif 000006
【図２】
2005149160.tif 000007
【図３】
2005149160.tif 000008
【図４】
2005149160.tif 000009
【図５】
2005149160.tif 000010
【図６】
2005149160.tif 000011
【図７】
2005149160.tif 000012
【図９】
2005149160.tif 000013
【図１１】
2005149160.tif 000014
【図１２】
2005149160.tif 000015
【図１３】
2005149160.tif 000016
【図１４】
2005149160.tif 000017
【図１６】
2005149160.tif 000018
【図１７】
2005149160.tif 000019
【手続補正書】
【提出日】平成15年11月25日(2003.11.25)
【手続補正１】
【補正対象書類名】明細書
【補正対象項目名】全文
【補正方法】変更
【補正の内容】
【発明の詳細な説明】
【技術分野】
【０００１】
本発明は、モバイル機器の地図上情報検索表示に属する。
【背景技術】
【０００２】
携帯電話、ＰＤＡ、カーナビなどのモバイル機器の地図表示で、情報を検索表示すると相当数の情報が検索され、その中から１件を絞り込む為に、各アイコンを開きながら一つずつ情報を確認する作業に時間と労力を必要としている。
【０００３】
また地図上情報検索システムは、地図表示システムの中に組み込む必要があり、開発、運用、メンテナンスにおいて地図表示システムに大きく依存している。
【非特許文献１】舟木春仁著  「電子地図ビジネス入門」
【非特許文献２】桜井博行著  「ＧＩＳ電子地図革命」
【発明の開示】
【発明が解決しようとする課題】
【０００４】
このような携帯電話、ＰＤＡ、カーナビなどのモバイル機器の地図上情報検索表示において、情報を検索者の好みに合致するように一発で絞り込むことと、地図上情報検索システムが地図表示システムに依存しない方法を提供する。
【課題を解決するための手段】
【０００５】
本発明では、上述の課題を解決するために、次のように構成している。
【０００６】
すなわち、請求項１のモバイル機器で地図を表示させ情報を検索表示させる地図上情報検索方式は、モバイル機器側で情報検索者の特徴や変わらない好みを予め設定しておくプロフィールテーブルを持ち、そのテーブルへのデータ設定手段と、その時々で変わる好みを設定するフラクチェーション（変動）テーブルを持ち、そのテーブルへのデータ設定手段を具備したアプリケーションを、モバイル機器にダウンロードして使用する。
【０００７】
請求項２の請求項１に記した地図上情報検索方式は、プロフィールテーブルおよびフラクチェーション（変動）テーブルは、どの検索者にも共通する内容を設定する共通事項と、その検索者特有の内容を設定する個別事項を持っている。
【０００８】
請求項３のモバイル機器で地図を表示させ情報を検索表示させる地図上情報検索方式によると、サーバー側で情報提供者の変わらない提供商品や提供サービスを予め設定しておくプロフィールテーブルを持ち、そのテーブルへのデータ設定手段と、その時々で変わる提供商品や提供サービスを設定するフラクチェーション（変動）テーブルを持ち、そのテーブルへのデータ設定手段と、モバイル機器に表示する画像や文章を持ち、そのテーブルへのデータ設定手段と、アカウント情報の設定手段を具備したアプリケーションをサーバーにインストールして使用する。
【０００９】
請求項４の請求項３に記した地図上情報検索方式において、プロフィールテーブルおよびフラクチェーション（変動）テーブルは、どの検索情報にも共通する内容を設定する共通事項と、その検索情報特有の内容を設定する個別事項を持っている。
【００１０】
請求項５の請求項３に記した地図上情報検索方式において、サーバー側で情報の検索結果後、プロフィールテーブルとフラクチェーション（変動）テーブルの各アイテムに設定した検索条件の合致率を算出し、合致率上位数件の画像、文章を含む情報テーブルを作成しモバイル機器側に送る手段を具備している。
【００１１】
請求項６の請求項１から５に記した地図上情報検索方式において、モバイル機器側で受取った合致率上位数件の情報テーブルのデータに基づいて地図上のその位置にマークを表示する手段と、情報検索者の意思によりスクロール操作で、その情報の画像や文章、プロフィールテーブルとフラクチェーション（変動）テーブルの各アイテムの比較結果を表示する手段を具備している。
【００１２】
請求項７の請求項６に記した地図上情報検索方式において、モバイル機器側で受取った合致率上位数件の情報テーブルのデータは、情報検索者の意思により合致した情報のリストを表示させ、そのリストの中から情報を選択し、表示する詳細情報を切り替えることが出来る手段を具備している。
【００１３】
請求項８の請求項１から７に記した地図上情報検索方式は、地図表示システムとの取り合いを、情報検索開始前に地図上情報検索システムの管轄になる情報検索画面表示へ切り替え、検索条件を入力し検索開始で地図表示システムから検索条件として表示中の中心位置座標（経度緯度）をもらうことと、地図上情報検索方式で情報を検索後、地図表示システムに検索した情報のうち一つの情報が属する一つの位置座標（経度緯度）を渡し、地図表示システムの管轄でマーク表示をすることと、検索結果リストから情報を選択し詳細表示することは地図上情報検索システムの管轄による方法により、情報の検索が地図表示システムに依存しない。
【発明の効果】
【００１４】
請求項１のモバイル機器で地図を表示させ情報を検索表示させる地図上情報検索方式によれば、モバイル機器側で情報検索者の特徴や変わらない好みを予め設定しておくプロフィールテーブルを持ち、そのテーブルへのデータ設定手段と、その時々で変わる好みを設定するフラクチェーション（変動）テーブルを持ち、そのテーブルへのデータ設定手段を具備したアプリケーションを、モバイル機器にダウンロードして使用することにより、検索者が希望する多くの検索条件の内いつも変わらない条件を予め設定しておき、その時々で変わる検索条件のみを検索時に設定することにより、多くの検索条件で情報の絞込みが出来る。
【００１５】
ここで、予め設定しておいた検索条件も、ある情報の検索に関して不必要と判断したら、その条件をブランクにすることによりその情報の検索時のみ検索条件から外すことが出来る。
【００１６】
請求項２の地図上情報検索方式によれば、プロフィールテーブルおよびフラクチェーション（変動）テーブルは、どの検索者にも共通する内容を設定する共通事項と、その検索者特有の内容を設定する個別事項を持つことにより、情報検索条件に検索者の個性を反映することが出来る。
【００１７】
請求項３のモバイル機器で地図を表示させ情報を検索表示させる地図上情報検索方式によれば、サーバー側で情報提供者の変わらない提供商品や提供サービスを予め設定しておくプロフィールテーブルを持ち、そのテーブルへのデータ設定手段と、その時々で変わる提供商品や提供サービスを設定するフラクチェーション（変動）テーブルを持ち、そのテーブルへのデータ設定手段と、モバイル機器に表示する画像や文章を持ち、そのテーブルへのデータ設定手段と、アカウント情報の設定手段を具備したアプリケーションをサーバーにインストールして使用することにより、情報検索者に多くの情報と特徴のある情報や最新の情報を提供できる。
【００１８】
請求項３に記した地図上情報検索方式によれば、サーバー側のプロフィールテーブルに提供者のメールアドレスを設定しておき、検索条件に合致したモバイル機器へ検索結果として送ることにより、モバイル機器からこのメールアドレスに予約、問合せ、購入、アンケートや問題の答え等の情報検索者の意思をメールし、それらのメールを受けた情報提供者側から結果を返信する機能を、携帯電話によるメール通信で提供することが出来る
【００１９】
請求項４の地図上情報検索方式によれば、プロフィールテーブルおよびフラクチェーション（変動）テーブルは、どの検索情報にも共通する内容を設定する共通事項と、その検索情報特有の内容を設定する個別事項を持つことにより、情報内容に情報提供者の特徴を盛り込むことが出来る。
【００２０】
請求項５の地図上情報検索方式によれば、サーバー側で情報の検索結果後、プロフィールテーブルとフラクチェーション（変動）テーブルの各アイテムに設定した検索条件の合致率を算出し、合致率上位数件の画像、文章を含む情報テーブルを作成しモバイル機器側に送ることにより、情報検索者の検索条件に最も近い情報を絞り込んで送ることが出来る。
【００２１】
請求項６の地図上情報検索方式によれば、モバイル機器側で受取った合致率上位数件の情報テーブルのデータに基づいて地図上のその位置にマークを表示する手段と、情報検索者の意思によりスクロール操作で、その情報の画像や文章、プロフィールテーブルとフラクチェーション（変動）テーブルの各アイテムの比較結果を表示することにより、情報検索者の検索条件に最も近かった情報の地図上の位置と、検索条件の合致内容と合致率を把握できる。
【００２２】
請求項７の地図上情報検索方式によれば、モバイル機器側で受取った合致率上位数件の情報テーブルのデータは、情報検索者の意思により合致した情報のリストを表示させ、そのリストの中から情報を選択し、表示する詳細情報を切り替えることが出来る手段を具備したことにより、情報検索者は検索条件の合致率ＴＯＰのみではなく合致率上位数件から合致の内容を吟味することが出来る。
【００２３】
請求項８の地図上情報検索方式は、地図表示システムとの取り合いを、情報検索開始前に地図上情報検索システムの管轄になる情報検索画面表示への切り替えで地図表示システムから検索条件として表示中の中心位置座標（経度緯度）をもらうことと、地図上情報検索方式で情報を検索後、地図表示システムに検索した情報のうち一つの情報が属する一つの位置座標（経度緯度）を渡し、地図表示システムの管轄でマーク表示をすることと、検索結果リストから情報を選択し詳細表示することは、地図上情報検索システムの管轄による方法により、情報の検索が地図表示システムに依存しないことにより、地図情報検索システムを地図表示システムと切り離して開発、運用、メンテナンスができる。
【発明を実施するための最良の形態】
【００２４】
以下、図面によって本発明の実施の形態について詳細に説明する。
【００２５】
図１は、モバイル機器の地図上情報検索システムを提供する１．Ｗｅｂサーバー、２．地図上情報検索システムを利用する携帯電話、３．携帯電話をインターネットに接続するゲートウェイ、４．インターネット網で構成されるモバイル機器の地図上情報検索方式の実施形態です。
【００２６】
図２は、情報データを地理上のある大きさの区画に分類した区画別座標データと、情報データを各区画別座標データ内でジャンル別に分類されたイメージで表した、区画別ジャンル別座標データテーブルです。
【００２７】
図３は、区画テーブルＮＯ検索テーブル（座標対応）を、図４は、区画別ジャンル別データテーブルを、図５は、区画別プロバイダーテーブルを、図６は、区画別プロバイダーの検索要素１を、図７は、区画別プロバイダーの検索要素２を、図８は、区画別プロバイダーの検索要素３を、図９は、区画別プロバイダーの検索要素４を、図１０は、区画別プロバイダーの添付ファイル要素を表します。
【００２８】
図１１は、検索者の検索要素１を、図１２は、検索者の検索要素２を、図１３は、検索者の検索要素３を、図１４は、検索者の検索要素４を、図１５は、合致情報リストを表します。
【００２９】
ここで、図４から図１０は、地図上情報検索システムのサーバー側の処理テーブルを、図１１から図１５は、地図上情報検索システムのモバイル側の処理テーブルを表します。
【実施例１】
【００３０】
図１６は、携帯電話で情報検索結果を受けて、地図上の情報が属する位置にマーク表示されている携帯電話の地図表示と、詳細情報を切り替え操作で画面上に表示したところを表します。
【実施例２】
【００３１】
図１７は、地図上情報検索方式の処理フローで、モバイル機器でＳＭ０１）地図表示中に地図上情報検索アプリケーションを選択する。
【００３２】
ＳＭ０２）情報検索画面が表示される。
【００３３】
ＳＭ０３）現在表示されている地図の中心経度緯度が検索位置中心に設定される。
【００３４】
ＳＭ０４）ジャンルと希望商品・サービスを選択し、「決定」キーを押すと、サーバーに検索条件が送られる。
【００３５】
ＳＭ０５）方角、ｋｍを設定する。（方角を省略すると円領域で検索される）
【００３６】
サーバーでＳＳ０１）検索対象の座標を演算し、「区画テーブルＮＯ検索テーブル」から区画テーブルＮＯを得る。
【００３７】
ＳＳ０２）区画テーブルＮＯとジャンルが一致する「区画別座標データテーブル」から領域内データを抽出する。
【００３８】
ＳＳ０３）抽出したデータのプロバイダー番号で「区画別プロバイダーテーブル」からプロバイダーデータを抽出する。
【００３９】
ＳＳ０４）抽出されたデータのプロフィールとフラクチェーションを検索条件と比較し合致率を演算する。
【００４０】
ＳＳ０５）合致率の高いものから「経度・緯度」、「地図上名称」、「画像・文章」、「プロフィールとフラクチェーションの比較結果」データを並べてモバイル側に送る。
【００４１】
ＳＭ０６）受信した合致率ＴＯＰの情報源の位置が地図上にマークされる。
【００４２】
ＳＭ０７）表示切替操作と、スクロール操作でその情報の「画像・文章」、「プロフィールとフラクチェーションの比較結果」が表示される。
【００４３】
ＳＭ０８）情報ＯＫ？ならば、終了。他を見たい場合は次へ。
【００４４】
ＳＭ０９）合致率上位リストを表示させ次の情報を選択する。
【００４５】
ＳＭ１０）表示切替操作でその情報源の位置が地図上にマークされる。ＳＭ−０７）へ戻る。
【産業上の利用可能性】
【００４６】
携帯電話、ＰＤＡ、カーナビ等のモバイル機器で、地図表示システム（地図表示アプリケーション）と組み合わせて、情報を検索者の好みに合致するように一発で絞り込む地図上情報検索する場合に利用可能。
【図面の簡単な説明】
【００４７】
【図１】モバイル機器の地図上情報検索方式の実施形態
【図２】区画別ジャンル別座標データテーブル
【図３】区画テーブルＮＯ検索テーブル（座標対応）
【図４】区画別ジャンル別データテーブル
【図５】区画別プロバイダーテーブル
【図６】区画別プロバイダーの検索要素１
【図７】区画別プロバイダーの検索要素２
【図８】区画別プロバイダーの検索要素３
【図９】区画別プロバイダーの検索要素４
【図１０】区画別プロバイダーの添付ファイル要素
【図１１】検索者の検索要素１
【図１２】検索者の検索要素２
【図１３】検索者の検索要素３
【図１４】検索者の検索要素４
【図１５】合致情報リスト
【図１６】携帯電話で飲食店を地図上情報検索方式を使用して検索した場合の実施例
【図１７】地図上情報検索方式の処理フロー
【符号の説明】
【００４８】
１．Ｗｅｂサーバー
２．地図上情報検索方式を利用する携帯電話
３．携帯電話をインターネットに接続するゲートウェイ
４．インターネット網
５．区画別ジャンル別座標データテーブル
６．隣接区画別ジャンル別座標データテーブル群１
７．隣接区画別ジャンル別座標データテーブル群２
８．隣接区画別ジャンル別座標データテーブル群３
９．隣接区画別ジャンル別座標データテーブル群４
１０．同一区画別ジャンル別座標データテーブル群内の同一ジャンル群１
１１．同一区画別ジャンル別座標データテーブル群内の同一ジャンル群２
１２．地図上情報検索方式を実行した携帯電話
１３．地図上情報検索方式を実行した携帯電話に検索結果がマーク表示された地図表示
１４．表示切替で表示された詳細情報
１５．表示切替で表示された合致情報リスト